(57)【要約】      （修正有）【課題】スピニングリール１のハンドル7において魚のアタリの感度を高めた魚釣り用リールのハンドルを提供する。【解決手段】ハンドル７を、リール本体側に取り付け固定されるハンドル支軸９に軸受１０ａを介して摘み１１が回転自在に取付けて構成したものにおいて、摘み１１の把持部１１ｃに開口１１ｅを形成し、該開口１１ｅから軸受１０ａの外輪が突出状に露出するように構成することで、把持部１１ｃを把持する釣り人の指が軸受１０ａの外輪に接触できるようにし、これによって魚のアタリが摘み１１よりも近い状態で直接的に伝わるように構成した。【選択図】図３
0003182448.tif 000002
【実用新案登録請求の範囲】
【請求項１】
リール本体側に取り付け固定されるハンドル支軸に軸受を介して回転自在に取付けられる摘みを備えて構成される魚釣り用リールのハンドルにおいて、前記摘みには、該摘みを把持して巻き操作をしている指を前記軸受の外輪に接触可能にするための開口が形成されていることを特徴とする魚釣り用リールのハンドル。
【請求項２】
軸受は少なくとも左右方向内外に一対あり、少なくとも外側に位置する軸受の外輪が指に接触可能となっていることを特徴とする請求項１記載の魚釣り用リールのハンドル。
【請求項３】
軸受は、外輪の一部が開口から突出していることを特徴とする請求項１または２記載の魚釣り用リールのハンドル。
【請求項４】
摘みは、少なくとも軸受の外輪が指に接触する部位の板厚が、ハンドル支軸の外径よりは肉厚で、軸受の外径よりは肉薄であることを特徴とする請求項１、２または３記載の魚釣り用リールのハンドル。
【考案の詳細な説明】
【技術分野】
【０００１】
本考案は、両軸受けリール、スピニングリール等の各種の魚釣り用リールのハンドルの技術分野に属するものである。
【背景技術】
【０００２】
一般に、この種釣り用リールは、ハンドル操作によってスプールを回転させ、繰出したライン（釣り糸、テグス、道糸）を巻き取るようになっているが、従来のハンドルは、リール本体側に取り付け固定されるハンドル支軸に軸受を介して回転自在に摘み（ハンドルノブ）を設けていた（例えば特許文献１〜６参照）。
【先行技術文献】
【特許文献】
【０００３】
【特許文献１】実開平５−１５７６９号公報
【特許文献２】実用新案登録第３０１８３６６号公報
【特許文献３】特開２００３−９７３３号公報
【特許文献４】特開２００４−１２１１７６号公報
【特許文献５】特開２０１１−１２５２６９号公報
【特許文献６】特開２０１１−２４４７７３号公報
【考案の概要】
【考案が解決しようとする課題】
【０００４】
ところで近時、釣り人気が高く、大勢の釣り人が魚釣りに出かけているが、これに伴い魚の警戒心が強くなり、釣りづらい状況になっている。特にルアー釣りの場合、釣り法の進化も目覚ましく、アジ等の小さな魚種も対象魚になってきている。このように警戒心が強い魚や小さな魚はアタリが非常に小さくて判りづらい場合が多く、アタリ（魚信）に合わせてアワセを入れるタイミングを取ることが難しく、このため初心者は勿論、ベテランの釣り人でも針掛かりせずに逃げられてしまい釣果がなかなか上がらないという現状にある。
そこでリールについてもアタリの感度を高くすることが提唱されるが、釣り人は、片方の手で竿（または竿およびリール）を持ち、もう片方の手でハンドルの摘みを把持して巻き操作をすることになるから、リールのアタリの感度を高めるにはハンドルのアタリ感度を高めればよいことになる。
ところが前記従来のものは、ハンドル支軸に軸受が隠れる状態で摘みが設けられているため、摘みを持つ手（指）には、軸受を介した摘みにより間接的な状態でアタリが伝わることになるが、摘みは、コストダウンや軽量化のため樹脂で作られていることが多く、また滑り止めのためゴム質弾性材が被覆されているものもあって、どうしてもアタリの感度が低く、釣果を高めることがあまり期待できないという問題があり、ここに本考案の解決すべき課題がある。
【課題を解決するための手段】
【０００５】
本考案は、上記の如き実情に鑑みこれらの課題を解決することを目的として創作されたものであって、請求項１の考案は、リール本体側に取り付け固定されるハンドル支軸に軸受を介して回転自在に取付けられる摘みを備えて構成される魚釣り用リールのハンドルにおいて、前記摘みには、該摘みを把持して巻き操作をしている指を前記軸受の外輪に接触可能にするための開口が形成されていることを特徴とする魚釣り用リールのハンドルである。
請求項３の考案は、軸受は、外輪の一部が開口から突出していることを特徴とする請求項１または２記載の魚釣り用リールのハンドルである。
請求項４の考案は、摘みは、少なくとも軸受の外輪が指に接触する部位の板厚が、ハンドル支軸の外径よりは肉厚で、軸受の外径よりは肉薄であることを特徴とする請求項１、２または３記載の魚釣り用リールのハンドルである。
【考案の効果】
【０００６】
請求項１の考案とすることにより、ハンドルの摘みを把持する指がハンドル支軸と摘みとの間に設けられる軸受の外輪に接触することになる結果、アタリを摘みで感じるものに対してより直接的に感じることができることになって、アタリの感度が向上し、これによってアタリに対して鋭いアワセができ、釣果の向上が期待できる。
請求項２の発明とすることにより、より安定した状態で軸受を介してのアタリを確認することができる。
請求項３の発明とすることにより、アタリの確認が摘み開口から突出した状態の軸受外輪からできることになって、アタリの感度がより向上する。
請求項４の発明とすることにより、アタリの確認がより一層確実になる。
【図面の簡単な説明】
【０００７】
【図１】スピニングリールの側面図である。
【図２】（Ａ）（Ｂ）はハンドル部の正面図、側面図である。
【図３】（Ａ）（Ｂ）はハンドルの一部切欠き正面図、摘み部の拡大断面図である。
【図４】ハンドルの斜視図である。
【考案を実施するための形態】
【０００８】
次ぎに、本考案の実施の形態について、図面を用いて説明する。図面において、１は魚釣り用のスピニングリールであって、該スピニングリール１は、リール本体２、該リール本体２の前端部に回転可能な状態で外嵌するスカート部３と、該スカート部３の回転に連携して前後方向に移動するスプール４と、釣竿（図示せず）にリール本体２を取り付けるための脚部５と、スカート部３に起倒自在に設けられ、スカート部３の回転に基づいてスプール４にライン（図示せず）の巻装案内をするためのベール６と、スカート部３の回転とスプール４の前後移動とを行うための駆動機構（図示せず）と、該駆動機構の駆動をするためのハンドル７とが設けられていること等は何れも従来通りであるが、該ハンドル７に本考案が実施されており、以下、ハンドル７について詳述する。
【０００９】
前記ハンドル７は、リール本体２に取付けられるクランク状に折曲されたハンドルアーム８と、該ハンドルアーム８の先端部に左右方向内端部が一体取付けされるハンドル支軸９と、該ハンドル支軸９が遊嵌状に貫通し、左右一対の軸受（本実施の形態では同径であるが異径であっても勿論よい）１０、１０ａを介してハンドル支軸９に回転自在に取付けられる摘み１１とを用いて構成されるが、ハンドルアーム８およびハンドル支軸９はアルミニウム等の金属材料で構成され、摘みは樹脂材で構成されている。
尚、図中、１２はハンドル７をリール本体２に着脱自在に取付けるための螺子であり、１３は摘み１１をハンドル支軸９に着脱自在に取付けるための螺子、１３ａはワッシャであるが、該螺子１３をハンドル支軸９に螺入することで、ワッシャ１３ａが軸受１０ａの内輪を締め付け固定するようになっている。
【００１０】
前記摘み１１は、円筒状で左右方向内端側の基端部１１ａと、該基端部１１ａの左右方向外端部から漸次肉薄となるよう傾斜した傾斜面部１１ｂと、該傾斜面部１１ｂの左右方向外端部から外方にあり、ハンドル支軸９の外径よりは肉厚であるが、軸受１０、１０ａの外径よりは肉薄となる状態で左右方向に長く釣り人が指で把持してラインの巻き操作をする把持部１１ｃとにより構成されるが、該把持部１１ｃには本実施の形態では丸孔状の貫通孔１１ｄが間隙を存して複数（本実施の形態では３個）形成されていて、ハンドル支軸９を目視できるようになっていると共に、さらに把持部１１ｃの左右方向外端部には、外端側の軸受１０ａの外輪の一部が突出状に露出する開口（切欠き）１１ｅが形成されている。そして、摘み１１の把持部１１ｃを指で把持した場合に、該把持した指の一部が外側軸受１０ａの外輪に触れることができ、これによって釣り人はアタリに基づく軸受１０ａの振動を感知し小さなアタリでも取れるようになっている。
【００１１】
叙述のごとく構成された本考案の実施の形態において、釣り人は、ルアー釣りの場合、竿のアオリ操作とともに繰り出したラインを摘み１１の巻き操作でスプール４に巻装することを繰り返しすることで魚を誘い、魚の針掛かりを待つことになるが、魚が動くルアーに興味を持って食いつき、アタリがあったことのアタリはラインを通じて竿およびスピニングリール１に伝わることになるが、該スピニングリール１に伝わったアタリは、ハンドル７の摘み１１を把持して巻き操作をしている指が接触している軸受１０ａの外輪を介して直接的に伝わることになる。
【００１２】
この結果、釣り人は、摘み１１よりもラインに近い軸受１０ａを介してアタリが伝わることになってアタリの感度が向上し、小さなアタリであっても的確なアワセを行うことが可能になって魚の針掛かりが高まって釣果の向上が期待できることになる。
【００１３】
しかもこのものでは、摘み１１を支持する左右一対の軸受１０、１０ａのうち、外側の軸受１０ａの外輪が摘み１１を把持する指に接触する結果、ラインを介してリール本体２に伝わったアタリによる振動が内側の軸受１０よりも増幅されることになってより確実なアタリの確認ができることになる。
【００１４】
そのうえこのものでは、外側の軸受１０ａの外輪が、摘み把持部１１ｃに形成の開口１１ｅから突出する状態で露出しているため、把持部１１ｃを把持する指は、自然の把持状態で軸受１０ａの外輪に接触できることになって、ハンドル７の巻き操作をしているときに、接触姿勢を維持することをいちいち意図する必要がない。
しかも摘み把持部１１ｃは、ハンドル支軸９の外径よりも肉厚で、軸受１０ａの外径よりは肉薄となっているため、摘み１１を把持する指は、無理な把持姿勢を取る必要がなく、自然な把持姿勢でよいこととなり、釣り易いものとなる。
【００１５】
尚、本考案は前期実施の形態に限定されるものでないことは勿論であって、ハンドルとしてはスピニングリールに限定されず、両軸リール、片軸リール等、通常知られた魚釣り用リールに採用できることは勿論である。
さらに、摘みを把持する指が接触する軸受としては、外側の軸受でなく、内側の軸受、さらには左右両側の軸受としてもよいものである。
【産業上の利用可能性】
【００１６】
スピニングリールや両軸受けリール等の魚釣り用リールのハンドルとしての利用可能性がある。
【符号の説明】
【００１７】
１    スピニングリール
２    リール本体
７    ハンドル
８    ハンドルアーム
９    ハンドル支軸
１０ａ  軸受
１１    摘み
１１ｃ  把持部
１１ｅ  開口
【図１】
0003182448.tif 000003
【図２】
0003182448.tif 000004
【図３】
0003182448.tif 000005
【図４】
0003182448.tif 000006